(57)【要約】  通気可能な容器。容器は、容器リムで終了する側壁と、内部空洞とを有する容器底部、及び中央パネルと、この中央パネルの周囲に設けられた周囲シールリップとを含む着脱可能な蓋を含む。この周囲シールリップは、容器リムを受け入れる蓋チャネルを形成する略逆Ｕ字形の断面を有している。この蓋チャネルは、容器をシールし、係合する第一の位置に蓋を位置決めし、内部空洞から容器の周囲への空気通路を形成する第二の位置に蓋を位置決めする。【特許請求の範囲】
【請求項１】
通気可能容器組立体であって、
内部空洞、及び容器リムを形成する第一の閉鎖リムで終了する側壁を有する容器底部、及び
中央パネル、及びこの中央パネルの周囲の第二の閉鎖部を含む容器蓋であって、前記第二の閉鎖部が、内側及び外側チャネル壁を有するチャネルを形成する略逆Ｕ字形の断面を有し、前記外側チャネル壁が、下向きに張り出す蓋の遷移領域及びアンダーカット領域を有する、ところの容器蓋、
を含み、
前記容器蓋が、前記容器底部に対する第一のシール位置と前記容器底部に対する第二の通気位置との間で移動可能であり、
前記第一のシール位置で、前記容器底部の前記容器リムが前記チャネルの前記内側及び外側チャネル壁に受け入れられ、
前記第二の通気位置で、前記内側及び外側チャネル壁が、前記容器リム上に配置され、前記内部空洞と外部との間がガス通気可能になり、
前記容器蓋を前記第二の通気位置に移動させると、前記アンダーカット領域が前記容器リムと係合し、前記容器蓋を前記容器底部に固定する、
ところの通気可能容器組立体。
【請求項２】
請求項１の通気可能容器組立体であって、
前記内側及び外側チャネル壁の少なくとも一方のチャネル壁がアンダーカット部を含む、
ところの通気可能容器組立体。
【請求項３】
請求項１の通気可能容器組立体であって、
前記アンダーカット領域が、前記第二の閉鎖部の周囲にわたって連続する、
ところの通気可能容器組立体。
【請求項４】
請求項１の通気可能容器組立体であって、
前記アンダーカット領域が、前記第二の閉鎖部の周囲にわたって不連続である、
ところの通気可能容器組立体。
【請求項５】
マイクロ波での加熱可能な容器組立体であって、
内部空洞、及び容器リムを形成する第一の閉鎖リムで終了する側壁を有する容器底部、及び
中央パネル、及びこの中央パネルの周囲の第二の閉鎖部を含む容器蓋であって、前記第二の閉鎖部が、内側及び外側チャネル壁を有するチャネルを形成する略逆Ｕ字形の断面を有し、前記外側チャネル壁が、下向きに張り出す蓋の遷移領域及びアンダーカット領域を有する、ところの容器蓋、
を含み、
前記容器蓋が、前記容器底部に対する第一のシール位置と前記容器底部に対する第二の制御通気位置との間で移動可能であり、
前記第一のシール位置で、前記容器底部の前記容器リムが前記チャネルの前記内側及び外側チャネル壁に受けられ、
前記第二の制御通気位置で、前記内側及び外側チャネル壁が、前記容器リム上に配置されこの容器リムとルーズに接触し、
前記容器蓋を前記第二の制御通気位置に移動させると、前記アンダーカット領域が、周囲接触シールを形成する前記容器リムと係合し、
前記周囲接触シールが、食品をマイクロ波で加熱しているときに前記内部空洞内で上昇する上記圧力を制御通気するのに十分に弱い、
ところのマイクロ波での加熱可能な容器組立体。
【請求項６】
請求項５のマイクロ波での加熱可能な容器組立体であって、
前記内側及び外側チャネル壁の少なくとも一方のチャネル壁が、アンダーカット部を含む、
ところのマイクロ波での加熱可能な容器組立体。
【請求項７】
請求項５のマイクロ波での加熱可能な容器組立体であって、
前記アンダーカット部が、前記第二の閉鎖部の周囲にわたって連側する、
ところのマイクロ波での加熱可能な容器組立体。
【請求項８】
通気可能な容器蓋であって、
中央パネルであって、この中央パネルの周囲に閉鎖部を有し、前記閉鎖部が、内側及び外側チャネル壁を有するチャネルを形成する略逆Ｕ字形の断面を有し、前記外側チャネル壁が、下向きに張り出す蓋遷移領域及びアンダーカット領域を有する、ところの中央パネル、
を含み、
当該容器蓋が、容器底部の閉鎖部に対する第一のシール位置と、第二の通気位置との間で移動可能であり、
前記第一のシール位置で、前記容器底部の閉鎖部が前記チャネルの前記内側及び外側チャネル壁に受け入れられ、
前記第二の通気位置で、前記内側及び外側チャネル壁が、前記容器底部の閉鎖部上に配置され、これらの間で通気可能となり、
当該容器蓋を前記第二の通気位置に移動させると、前記アンダーカット領域が、前記容器底部の閉鎖部と係合するように適合される、
ところの容器蓋。
【請求項９】
請求項８の通気可能蓋であって、
前記内側及び外側チャネル壁の少なくとも一方のチャネル壁が、アンダーカット部を含む、
ところの容器蓋。
【請求項１０】
請求項８の容器蓋であって、
前記アンダーカット領域が、前記第二の閉鎖部の周囲にわたって連続する、
ところの容器蓋。
【請求項１１】
請求項８の通気可能蓋であって、
前記アンダーカット領域が、前記第二の閉鎖部の周囲にわたって不連続である、
ところの通気可能蓋。
【発明の詳細な説明】
【技術分野】
【０００１】
本発明は、再閉鎖可能な容器に関し、特に、容器に取り付けるときに容器の通気を選択的にできる着脱可能な容器蓋に関する。
【背景技術】
【０００２】
熱可塑性材料からなる容器が従来技術で知られている。この容器は、ボール（又は容器）に選択的に着脱できる蓋を含むものであり、再使用でき、使い捨てができ、電子レンジ（マイクロ波）で使用できるなどの様々な特徴を有するように設計されている。
【０００３】
ボール上に蓋を係合しシールできる様々なタイプの容器組立体と手段が提案されてきた。特許文献１に開示されている容器及び係合手段を図に示す。
【特許文献１】米国特許第６１７０６９６号
【特許文献２】米国特許第３３６２５６５号
【特許文献３】米国特許第５１４７０５９号
【特許文献４】米国特許第６１７０６９６号
【特許文献５】米国特許第６０３２８２７号
【発明の開示】
【発明が解決しようとする課題】
【０００４】
電子レンジ（マイクロ波）で使用可能な在来の容器の問題点として、急激な温度変化に対する耐性の問題がある。容器は、電子レンジでの加熱中に容器内の物の水分が蒸発しガス温度が上昇して圧力が高くなるため、電子レンジでの加熱中に通気ができなければならない。よって、容器は、電子レンジの加熱中、幾分か開放しておく必要がある。しかし、容器内の物が電子レンジ内に飛び散ることを防ぐために、可能な限り、ボールを被覆しておくことも望まれている。
【０００５】
熱成形した容器によくある他の問題点として、容器を一体的にシールしている間における農産物の呼吸性の問題がある。従来技術でよく知られているように、農産物の呼吸性を与えることのできる適当な通気性（又は呼吸レート）を与えることは、農産物の鮮度を高くできる。
【０００６】
電子レンジでの加熱中、その加熱後、及び農産物の呼吸のための適当な通気性を与えるために、様々な方法及び容器の設計がなされてきた。実用的には、共通的な一例を挙げると、蓋を取り外し、蓋をボール上に隙間が形成されるように置くだけのものであり、これにより、農産物の呼吸を与えることができ、また電子レンジでの加熱中に、空気と蒸気を逃すことができる。他の実用的な例では、ボールから蓋の一部分だけの係合を解除することにより、蓋を部分的に取り外すだけ（すなわち、蓋を“クラックオープン（crack open）”させるだけ）のものである。
【０００７】
上記の実用例の両方は、農産物の呼吸性をほぼ与えることができるものである。しかし、これら実用例では、容器には漏出の恐れがある（つまり、漏出を防止できない）。
【０００８】
上記の実用例では、容器内圧力の上昇が、容器と蓋との間の任意の空間を増大して容器を開放させるように作用するので、電子レンジでの加熱中に、空気と蒸気を十分に排気できる。しかし、電子レンジでの加熱が終了すると、蒸気が冷やされ、容器内の圧力が著しく降下する。この圧力差が容器を開放するようには作用しないので、上記の通気性に関する実用例では、この圧力差を補償できるだけの十分な空気を容器内に戻すような通気ができない。この問題は、蒸気の蓄積により悪化し、蓋とボールとの間にベーパーシール（vapor seal）を形成する。
【０００９】
通気性を与えるために、様々な容器の設計がなされてきた。例えば、特許文献２には、底部の付近にシールビード（sealing bead）を有し上部の付近にショルダーを有する側壁を含む蓋が開示されている。シールビードは、容器内に設けられている内部のショルダーに対抗してシールするものである。そして、ノッチが、シールビードの外周にわたって間欠的に設けられている。これらノッチは、通気路を与えるものであり、ガス又は蒸気の圧力がその中央部で蓋を上方向に撓めるのに十分な圧力に達すると、てこの原理で、これら通気路を通じて、シールした容器内に生じたガスを逃すことができる。
【００１０】
特許文献３には、蓋の垂直な外側のシール部の内面上に一連の通気突起部を有する蓋が開示されている。これら突起部は、蓋が容器上に単に置かれると、通気ができるように、容器のリムに係合する。通気により、蓋の確実なシールと取り外しを阻害する内部／外部圧力差が防止される。
【００１１】
市販の製品の一例として、Tupperware Fridgesmart（登録商標）容器がある。この容器は、農作物の呼吸性を与えるように適合されたボールの二つの押しボタン式の通気部を含む。
【００１２】
従来技術の容器の通気手段には、幾つかの欠点と利点がある。従来技術の通気手段の主な欠点として、従来技術の通気手段は、典型的に、製造に困難性のある複雑な設計構造を含むことである。よって、このような複雑な設計構造の蓋にはコストがかかる。
【００１３】
よって、（ｉ）第一の位置で蓋と容器底部を効果的にシール可能に係合し、通気手段が第二の位置にあるときに効果的な空気通路を与えるように適合され、（ｉｉ）在来の熱成形加工により製造できる効果的且つ容易に使用できる通気可能な容器蓋を提供することに利点がある。
【課題を解決するための手段】
【００１４】
本発明の一つの実施例では、通気可能な容器は、蓋と底部とを有する。底部は、内部空洞、及びリムで終了する側壁を含む。蓋は、中央パネル、及びこの中央パネルを囲む周囲シールリップを含む。周囲シールリップ（又は閉鎖部）は、蓋にチャネルを形成する略逆Ｕ字形の断面を有する。この蓋チャネルは、容器のリムを受け入れるように適合される。蓋チャネルは、液体の漏出を防止できるように蓋と底部を確実に閉鎖するように容器のリムに関して第一の位置で蓋を位置決めするように適合される遷移領域を含み、さらに、空気通路を設けるように容器のリムに関して第二の位置で蓋を位置決めするように蓋を位置決めするように適合される位置決め領域を含む。
【００１５】
本発明の好適な実施例では、蓋の位置決め領域は、さらに、第二の位置で蓋を着脱可能に確実に固定するように適合される。
【００１６】
好適に、蓋の遷移領域は、蓋の位置決め領域と連結する。
【００１７】
好適に、蓋の位置決め領域は、蓋シールリップの周りに張り出す。
【００１８】
本発明の一つの実施例では、蓋の位置決め領域は、実質的に連続している。
【００１９】
本発明の他の実施例では、蓋の位置決め領域は、不連続である。
【００２０】
本発明のその他の実施例では、通気可能な容器は、蓋と底部とを有する。底部は、内部空洞、及びリムで終了する側壁を含む。蓋は、中央パネル、及びこの中央パネルを囲む周囲シールリップ（又は閉鎖部）を含む。周囲シールリップは、蓋にチャネルを形成する略逆Ｕ字形の断面を有する。周囲シールリップは、蓋止め部を含む。上記の蓋チャネルは、容器のリムを受け入れるように適合される。蓋チャネルは、さらに、液体の漏出を防止するように蓋と底部が確実に閉鎖されるように容器のリムに対する第一の位置と、空気通路を与えるように容器のリムに対する第二の位置とで蓋を位置決めするように適合される。蓋止め部は、蓋が第二の位置にあるときに容器のリムと連結するように適合され、これにより、蓋は、第二の位置で着脱可能に確実に固定される。
【発明の効果】
【００２１】
他の特徴及び利点は、以下の本発明の特定的な好適な実施例の説明及び図説から明らかになるであろう。図面では、同じ符号で示す部品又は要素は同様を特徴を有するものである。
【発明を実施するための最良の形態】
【００２２】
本発明の詳細な説明の前に、本発明は、特定的に例示する容器蓋の設計、形状又はサイズ、材料及び方法に限定されるものではないことが理解されるべきである。よって、ここで説明するものと同様又は同等の多数の容器蓋の設計及び形状が本発明の実施に際して用いることができるが、好適な容器蓋の設計及び形状をここで説明する。
【００２３】
また、ここで用いる用語は単に本発明の特定的な実施例を説明することを目的とするものであり、これに限定することを意図とするものではないことも理解されるものではない。
【００２４】
特に示さない限り、ここで用いている全ての技術的な用語は、当業者に共通的に理解されているものと同じ意味を有するものである。
【００２５】
また、ここに示す全ての特許文献は参照文献として組み入れたものである。
【００２６】
最後に、明細書と特許請求の範囲において用いられている単数形及び複数形の用語は、特に示さない限り、単数と複数を含む。例えば、用語“空気流路”は荷とツだけでなく二つ又はそれ以上のこのような流路を含む。
【００２７】
本発明は、従来技術の容器蓋及び底部の組立体に関連した不利点と欠点を実質的に軽減又は解消するものである。ここで説明するように、本発明の容器蓋は、非常に効果的且つ簡単に作動できる通気手段を含む。本発明に従って、この通気手段により、電子レンジでの加熱（すなわち、マイクロ波での加熱）中、空気及び蒸気を容器の内部から排気でき、また、電子レンジでの加熱後（つまり、冷却）、圧力降下を補償するように、十分な空気を容器蓋に戻すことができる。この通気手段は、農作物の呼吸性も与えるものである。
【００２８】
図１に、在来の容器底部１２を示す。容器底部１２は、可撓性のある容器蓋４０（図３及び図４を参照）でシール可能に閉鎖される。図１に示すように、容器底部１２は、底面１４、四つの側壁１５、１６、１７、１８、ショルダー２２、及び閉鎖デバイス（又はリム）（又は閉鎖部）２４を有する。底面１４には、実質的に水平な中央パネル面（図示せず）に向けて上向きに張り出すスタッキング（stacking）リセス（図示せず）が設けられている。
【００２９】
側壁１５、１６、１７、１８は、底面１４の周囲から上向きにやや外方向に張り出している。これら側壁１５、１６、１７、１８の端部には、外向きに実質的に水平方向に張り出したショルダー２２が設けられ、閉鎖デバイス２４の底部に連結している。ここで、用語“内向き”及び“外向き”は、図５及び図６に符号１００で示す基準線に対して時計回りの方向１０１で表現するものである。
【００３０】
図５に示すように、閉鎖デバイス２４は、内側シール壁２６、保持ビード２４ａ、外壁３０及びスカート３２を含む。シール壁２６は、好適に、ショルダー２２から張り出し、保持ビード２４ａに連結している。
【００３１】
保持ビード２４ａは、少なくとも一つの上向き及び外向きに張り出すアンダーカット又はカットバック部２３、内側垂直部２５、上向き及び下向きに張り出す連結部２７、水平リム面２８、下向き及び外向きに張り出す連結部２９、外側垂直部３１、及び下向き及び内向きに張り出すアンダーカット又はカットバック部３３を含む。
【００３２】
図２に、上記のような容器底部１２をシール可能に係合するように適合される容器蓋４０を示す。図２に示すように、容器蓋４０は、中央パネル４２、グリップタブ４３、及び容器底部１２の閉鎖デバイス２４にシール可能に係合するように適合される周囲シールリップ又は閉鎖デバイス（又は閉鎖部）４４を含む。
【００３３】
図６を参照する。閉鎖デバイス４４は、中央パネル４２から張り出し、略逆Ｕ字形の断面を有する。図６に示すように、閉鎖デバイス４４は、パネル４２から上向き及び内向きに張り出す内壁４６、上向き及び外向きに張り出す内側連結部４８、水平リム面５０、下向き及び外向きに張り出す外側連結部５２、下向き及び内向きに張り出すアンダーカット又はカットバック部５３、外側垂直部５４、下向き及び外向きに張り出す連結部５５、及び実質的に水平なリップ５６を含む。
【００３４】
蓋４０を容器底部１２に確実に固定すると、アンダーカット２３がアンダーカット４６に係合して、第一の内側周囲のシールが達成され、アンダーカット３０がアンダーカット５３に係合して、第二の外側周囲のシールが達成される。よって、蓋４０のシールリップ４４の閉鎖デバイスは、シールチャネルとして作用し、容器底部１２の閉鎖デバイス（又はリム）２４を受け入れる。
【００３５】
この容器蓋４０及び底部１２の詳細は、特許文献４に記載されている。
【００３６】
図７、図８Ａ及び図８Ｂに、本発明の通気可能容器の蓋及び底部の一つの実施例を示す。本発明は、実質的に正方形状の蓋及び容器の組立体（つまり、閉鎖部の平面視がほぼ正方形状）であるが、本発明の通気手段は、これに限定しないが、円形状、長方形状及び／又は複雑な曲線形状を有する蓋及び容器の組立体を含む任意のサイズ及び形状の蓋及び容器の組立体で使用できるものであることが理解されるべきである。
【００３７】
本発明の通気可能な容器蓋を製造するために、様々な適当な材料が選択できる。公的に、容器蓋及び容器底部は、冷凍と電子レンジによる加熱の両方に適した弾性を有するポリマー材料からなる。
【００３８】
図７は、在来の容器底部１２上に位置決めした（又は係合させた）本発明の通気可能な容器蓋６０の一つの実施例の斜視図である。明瞭に図説するため、図１〜図６に示す在来の容器底部１２の全ての構成要素を説明するために用いた全ての符号は、図７〜図１０に示す本発明の実施例の説明に用いる。図７に示すように、蓋６０は、同様に、中央パネル４２、及び周囲シールリップ又は閉鎖デバイス（又は閉鎖部）６２を含む。閉鎖デバイス６２は、さらに、下向きに張り出したスカート７８、及びグリップタブ６３を含む。
【００３９】
図８Ａを参照する。蓋の閉鎖デバイス６２は、略逆Ｕ字形の断面を有し、上向き及び外向きに張り出す遷移又は連結部６５、連結部６５から内向き及び上向きに張り出す内壁又はアンダーカット６４、及び上向きに張り出す内側連結部６６を含む。閉鎖デバイス６２は、さらに、水平リム部６８、下向き及び外向きに張り出す外側連結部７０、下向き及び内向きに張り出すカットバック部又はアンダーカット７２、及び下向き及び外向きに張り出す連結部７４を含む。
【００４０】
蓋の閉鎖デバイス６２の最も外側の壁部（符号６９）は、さらに、下向きに張り出す蓋の遷移領域７６、外向きに張り出すスカート７８、及びこれらの間に設けたアンダーカット領域７７を含む。以下で説明するように、アンダーカット領域７７は、図８Ｂに示すように、容器底部１２に対する第二の位置（つまり、通気位置）に移動させたときに、蓋６０を所定の場所に保持するように、容器蓋のロックデバイスとして機能する。
【００４１】
図８Ａ及び図８Ｂに示すように、本発明の蓋の閉鎖デバイス６２は、同様に、容器底部１２の閉鎖デバイス２４を受け入れ、シール可能に係合するものである。図８Ａに、矢印Ｓで示す方向の閉鎖力を蓋６０上に適用することにより達成される、容器底部１２に対する蓋６０の第一の位置を示す。本発明に従って、蓋６０が上記の第一の位置にあるとき、容器底部１２に対する容器蓋６０のシール係合が効果的になされる。この実施例では、第一の内側のシールが、容器底部の閉鎖デバイス２４の内側のアンダーカット２３と蓋の閉鎖デバイス６２の内側のアンダーカット６４との間の係合により形成され、第二の外側のシールが、容器底部の閉鎖デバイス２４の外側のアンダーカット３０と蓋の閉鎖デバイス６２の外側のアンダーカット７２との間の係合により形成される。
【００４２】
図８Ｂに、矢印Ｖの方向に蓋６０を上昇移動させることによって達成される、容器底部１２に対する蓋６０の第二の位置を示す。本発明に従って、蓋６０が上記の第二の位置にあるとき、閉鎖領域を通じる空気通路（矢印Ａ、Ａ´）が形成される。
【００４３】
上述のように、蓋６０を矢印Ｖの方向に上昇移動させると、シールリップ６２の蓋止め部又はアンダーカット領域７７が容器底部の閉鎖デバイス２４のスカート３２に接触し、蓋６０を上記の第二の位置に位置決めし、保持する。外壁６９の蓋の遷移領域７６は、連結部６５、７４を容器底部の閉鎖デバイス２４のそれぞれの連結部２７、２９の上部上にルーズ（loose）に位置決めすることができ、且つ第二の位置（又は通気位置）で閉鎖領域を通じて通気するのに十分な長さを有する。蓋６０を完全に取り外すためには、使用者は、容器底部の閉鎖デバイス２４とのロック係合を解除するように蓋止め部又はアンダーカット７７を移動させるために、蓋の引きタブ（図示せず）にこのタブを持ち上げる力を付加的に適用させるだけでよい。変形的に、使用者は、指をスカート７８の下側に位置させて、スカート７８を外向きに撓ませ、アンダーカット７７を容器底部の閉鎖デバイス２４のスカート３２とのロック係合から解除させることにより、蓋を“はじかせて”外してもよい。熱成形した容器が、容器底部から容器蓋を完全に開放し、また蓋を第一の位置（シール係合位置）に移動させたときに所望のシールを維持できるように繰り返して撓ませることのできるような所望の可撓性と弾性記憶を有するように形成されることが理解される。
【００４４】
蓋６０は、上記の第二の位置（又は通気位置）にあるとき、容器底部１２上にルーズに位置決めされている。容器底部１２から蓋６０を完全に取り外すためには、使用者は、スカート３２との係合を超えるようにアンダーカット領域７７を移動させるように、矢印Ｖの方向に蓋を上昇移動させるだけである。蓋の遷移領域７６及びアンダーカット領域７７の内側のリリーフ（relief）の長さのために選択される寸法に従って、一つ又はそれ以上の空気タイト（tight）（又は通気可能な）接触領域が設けられる。このような接触シール領域は、蒸気の排気の制御が望まれる電子レンジ調理のような応用に有用である。内部の蒸気圧力が容器内部で高くなると、接触領域（シールが比較的弱い）により、高圧蒸気が閉鎖デバイスを通じて制御されて排気される。蒸気の制御排気は、蓋を跳ね上げ、調理食品を容器内部から弟子レンジの側壁へ飛散させる原因となる高圧状態を実質的に解消する。
【００４５】
図９は、在来の容器底部１２上に位置決めした本発明の通気可能な容器蓋９０の他の実施例の斜視図である。図９に示すように、蓋９０は、同様に、中央パネル１２、周囲シールリップ又は閉鎖デバイス（又は閉鎖部）９２、下向きに張り出すスカート７８、およびグリップタブ６３を含む。
【００４６】
図１０Ａに示すように、蓋９０の閉鎖デバイス９２は、蒸気した蓋６０の閉鎖デバイス６２と同様のものである。しかし、図１０Ｂに示すように、この実施例では、蓋９０のアンダーカット領域７７は、容器の空洞の内外への空気流を付勢するように不連続である。この実施例の付勢空気流は、高い呼吸性を要する品物に冷蔵に適している。
【００４７】
本発明に従って、この不連続性は、アンダーカット領域７７に一つ又はそれ以上の開口７９を含み、所望の空気流を達成できる様々なサイズおよび空間を有することができる。
【００４８】
当業者にわかるように、本発明の通気可能な容器蓋及びこれを用いた容器の組立体は、農産物を入れたときに農産物の呼吸性を与えるものである。また、この容器の組立体は、容器空洞と容器の周囲との間の圧力差を軽減するように、電子レンジでの加熱中及び加熱後に効果的な空気通路も設ける。
【００４９】
本発明の精神及び範囲から逸脱せずに、当業者は、本発明の様々な変形物及び変更物を様々な使用及び状態に適合できる。例えば、本発明が蓋と容器底部との間の内側及び外側のアンダーカットを係合させることにより形成される内側と外側の両方のシール領域を有する特定的なタイプのシール容器を図説したが、蓋と容器底部の他の閉鎖形状が可能（例えば、特許文献５に開示されているような一つのアンダーカットだけでの有する容器底部の閉鎖）であることが理解される。このように、これら変形物及び変更物は、添付の特許請求の範囲の同等物の範囲内にある。
【図面の簡単な説明】
【００５０】
【図１】図１は、従来技術の容器底部の斜視図である。
【図２】図２は、図１の容器底部にシール可能に係合する従来技術の容器蓋の平面図である。
【図３】図３は、従来技術の容器蓋及び底部の組立体の斜視図である。
【図４】図４は、図３に示す容器の組立体の側面図である。
【図５】図５は、従来技術の容器底部の閉鎖デバイスの部分側面図である。
【図６】図６は、図３の６−６線断面図である。
【図７】図７は、本発明の一つの実施例に従った通気可能な容器蓋及び底部の組立体の斜視図である。
【図８】図８Ａは、図７の８Ａ−８Ａ線断面図であり、本発明に従って、容器底部に対する蓋の第一の位置を示し、図８Ｂは、図８Ａの通気可能な容器蓋及び底部の他の断面図であり、本発明に従って、容器底部に対する蓋の第二の位置を示す。
【図９】図９は、本発明の他の実施例に従って、通気可能な蓋及び底部の組立体の斜視図である。
【図１０】図１０Ａは、図９の１０Ａ−１０Ａ線断面図であり、図１０Ｂは、図９の１０Ｂ−１０Ｂ線断面図である。
【符号の説明】
【００５１】
１２・・・容器底部
１４・・・底面
１５、１６、１７、１８・・・側壁
２２・・・ショルダー
２３・・・アンダーカット又はカットバック部
２４・・・閉鎖デバイス
２４ａ・・・保持ビード
２５・・・内側垂直部
２６・・・内側シール壁
３０・・・外壁
３２・・・スカート
２７・・・連結部
２８・・・水平リム面
２９・・・連結部
３０・・・外側のアンダーカット
３１・・・外側垂直部
３３・・・アンダーカット又はカットバック部
４０・・・容器蓋
４２・・・中央パネル
４３・・・グリップタブ
４４・・・周囲シールリップ又は閉鎖デバイス
４６・・・内壁
４８・・・内側連結部
５０・・・水平リム面
５２・・・外側連結部
５３・・・アンダーカット又はカットバック部
５４・・・外側垂直部
５５・・・連結部
５６・・・水平なリップ
６０・・・容器蓋
６２・・・蓋の閉鎖デバイス
６４・・・内側のアンダーカット
６５、７４・・・連結部
７２・・・外側のアンダーカット
７６・・・蓋の遷移領域
７７・・・蓋止め部又はアンダーカット領域
７８・・・スカート
【図１】
2008505027.tif 000002
【図２】
2008505027.tif 000003
【図３】
2008505027.tif 000004
【図４】
2008505027.tif 000005
【図５】
2008505027.tif 000006
【図６】
2008505027.tif 000007
【図７】
2008505027.tif 000008
【図８】
2008505027.tif 000009
【図９】
2008505027.tif 000010
【図１０】
2008505027.tif 000011
【国際調査報告】
2008505027.tif 000012